(57)【特許請求の範囲】
【請求項１】
プラズマディスプレーパネル上に環境光のため生じた可視光に対し、カラー混合原理を利用した数値計算により、前記プラズマディスプレーパネル上の画素毎に対応する赤色、緑色又は青色の３色の放電セルにより生じたカラーライトの輝度を計算し、
各前記放電セルの入力する映像信号の強さを増加又は低下させ、
前記環境光のため生じた可視光を前記赤色、緑色又は青色の放電セルにより生じたカラーライトから差し引き、
前記環境光の前記プラズマディスプレーパネルヘの不良影響を防止し、
プラズマディスプレーパネルの各画素の赤・緑・青の各色の放電ユニットにそれぞれ対応し且つ環境光によって形成された可視光によって生じた赤・緑・青の各色のカラー輝度はそれぞれ、Ｒcell、Ｇcell、Ｂcellをそれぞれ赤色、緑色、及び青色の放電セルの単位グレースケールで生じた輝度とし、α、β、γをそれぞれ赤色、緑色および青色の放電セルのグレースケールを表示するものとするとき、αＲcell、βＧcell、γＢcellで表され、
環境光がない場合の前記赤・緑・青の各色の放電ユニットの輝度はそれぞれ、ａ、ｂ、ｃをそれぞれ放電セルで生じた赤色、緑色、青色のグレースケール値とするとき、ａＲcell、ｂＧcell、ｃＢcellで表され、
前記ａ、ｂ、ｃのそれぞれがＴｈRed、ＴｈGreen、ＴｈBlue以上であるとき、入力する信号の補正された強さは、（ａＲcell−αＲcell）、（ｂＧcell−cell）、（ｃＲcell−γＲcell）であり、または、
前記ａ、ｂ、ｃのそれぞれがＴｈRed、ＴｈGreen、ＴｈBlueより小さいとき、補正後の赤、緑、青の各色の放電ユニットの輝度は（ａαＲcell／ＴｈRed）、（ｂβＧcell／ＴｈGreen））および（ｃγＢcell／ＴｈBlue）であることを特徴とするプラズマディスプレーパネルの色飽和度および映像品質の補正方法。
【請求項２】
前記カラーライトの輝度によって各前記放電セルの入力映像信号の強さを調整し、前記カラーライトから前記環境光のため生じた可視光によるプラズマディスプレーパネルヘの影響を差し引くことが可能であることを特徴とする請求項１に記載のプラズマディスプレーパネルの色飽和度および映像品質の補正方法。
【請求項３】
光感知器を利用して前記環境光を探知し、前記カラー混合原理を利用した数値計算により、前記プラズマディスプレーパネル上の画素毎に対応する３色の放電セルより生じたカラーライトの輝度を計算し、前記プラズマディスプレーパネルに色飽和度の補正を行なうことを特徴とする請求項２記載のプラズマディスプレーパネルの色飽和度および映像品質の補正方法。
【請求項４】
前記プラズマディスプレーパネルの制御電気回路上に各種異なる環境の環境光を予め設定して配置し、前記プラズマディスプレーパネルの設置環境に応じて設定モードを選び、直接前記プラズマディスプレーパネルに色飽和度の補正を行なうことを特徴とする請求項２記載のプラズマディスプレーパネルの色飽和度および映像品質の補正方法。
【発明の詳細な説明】
【０００１】
【発明の属する技術分野】
本発明は入力する映像信号の強さを調整することにより、プラズマディスプレーパネル（Ｐｌａｓｍａ Ｄｉｓｐｌａｙ Ｐａｎｅｌ、略称ＰＤＰ）の色飽和度および映像品質を改善する補正方法に関する。
【０００２】
【従来の技術】
従来の交流放電タイプのプラズマディスプレーパネル１０の製造技術は図１に示すように、２枚のガラスマザボード１１、ガラスマザボード１２の上に違う作用層を作成してから、その周辺を封じる。その間の放電空間の中に、一定の比例で混合された特殊な気体例えばヘリウム（Ｈｅ）、ネオン（Ｎｅ）、キセノン（Ｘｅ）又はアルゴン（Ａｒ）を入れて封じている。その構造中、プラズマディスプレーパネル１０を見る人へ対向するマザボードはフォワードマザボード１１であり、その内側に順に、複数の平行の透明電極１１１、補助（BUS）電極１１２、誘電層１１３および保護層１１４が設けられている。対応しているリアマザボード１２の上には順に、アドレス指定（DATA）電極１２１、誘電層１２４、複数の平行の隔離壁１２２、ならびに均等に塗布された蛍光体１２３が設けられている。関連する位置にある電極１１１、１１２、１２１に電圧をかける場合、その対応する位置にある誘電層１１３、１２４がその隣接する隔離された壁の間に形成された対応放電セル１３の中に放電することで、蛍光体１２３がその対応する色の光を感応させるのである。
【０００３】
【発明が解決しようとする課題】
プラズマディスプレーパネル１０中のリアマザボード１２の上に、平行に配列する白い複数の隔離壁１２２ならびに均等に塗布される蛍光体１２３が設けられているので、プラズマディスプレーパネル１０が環境光に照射される場合、リアマザボード１２の上の隔離壁１２２および蛍光体１２３により環境光が拡散され、プラズマディスプレーパネル１０は光の環境空間で、色飽和度の低下ならびに映像の品質が劣化する問題がしばしば生じる。
【０００４】
プラズマディスプレーパネル１０の各製造業者は、この問題に対し、独自の解決方法を展開している。図２に示すように、カプセルに入ったカラーフィルターの技術を利用して、フォワードマザボード１１の上において、赤色（Ｒｅｄ）、緑色（Ｇｒｅｅｎ）および青（Ｂｌｕｅ）に対応する放電セル１３の位置にそれぞれカプセルに入ったカラーフィルター２０を増設することで、高い輝度の環境光がそれぞれの放電セル１３に対して生じた反射光を濾過し、プラズマディスプレーパネルは高い輝度の環境空間での色飽和度を有効に提供できる。カプセルに入ったカラーフィルター２０を増設する加工技術は、精密かつ複雑なので、プラズマディスプレーパネル１０の製造コストは大幅に増加してしまう。
【０００５】
又、円偏波フィルター（ｃｉｒｃｕｌａｒ ｐｏｌａｒｚｉｎｇ ｆｉｌｔｅｒ）を利用して、高い輝度の環境光の影響を抑える方法があるが、その円偏波フィルターの光透過率は低いので、プラズマディスプレーパネル自体の輝度によくない影響があり、このプラズマディスプレーパネルの製造はあまり理想的ではないのである。
【０００６】
この方法は、唯濾過ユニットを増設する方式を利用して、高い輝度の環境光よりそれぞれの放電セルへ生じた反射光を濾過するものであるが、伝統的な方法を用いると同時に、プラズマディスプレーパネルの環境空間の輝度が低下して明るさが不足となる欠点があり、このプラズマディスプレーパネルの製造は、末端的改善で、抜本的処理の改善技術ではないのである。
【０００７】
したがって本発明の目的は、環境光による色飽和度の低下ならびに映像品質の劣化を防ぎ、製造コストを抑えたプラズマディスプレーパネルの色飽和度および映像品質の補正方法を提供することにある。本発明のもう一つの目的は、使用者がプラズマディスプレーパネルの設置環境によって、自分で設定モードを選び、直接プラズマディスプレーパネルヘ色飽和度の補正を行なうことができるプラズマディスプレーパネルの色飽和度および映像品質の補正方法を提供することにある。
【０００８】
【課題を解決するための手段】
上述の目的を達成するための本発明の請求項に記載のプラズマディスプレーパネルの色飽和度および映像品質の補正方法は、光感知器を利用して環境光を探知してから、数値計算によって、プラズマディスプレーパネル上での画素毎に対応する３色の放電セルにより生じたカラーライトの輝度を計算する。各放電セルの入力する映像信号の強さを調整することで、可視光をそれぞれの放電セルで生じたカラーライトから差し引き、環境光のプラズマディスプレーパネルヘの不良影響を有効に改善できるのである。
【０００９】
また、予めそのプラズマディスプレーパネルの電気回路の構造中に、各種の違う環境の環境光を設定して置くことによって（例えば、強い光モード、一般の室内照明モード、展示会モード等）、使用者がプラズマディスプレーパネルの置かれる環境に応じて自分で設定モードを選び、直接プラズマディスプレーパネルヘ色飽和度の補正を行なうことができるので、その環境光のプラズマディスプレーパネルヘの不良影響を有効に改善できるのである。
【００１０】
【発明の実施の形態】
以下、本発明の実施例を図面に基づいて説明する。通常プラズマディスプレーパネルの呈する映像は、膨大な数量のピクセル（ｐｉｘｅｌ）で組み込まれるが（ピクセルの多少はプラズマディスプレーパネルの解析度によって決まる）、いずれのピクセルにも、すべて赤色、緑色および青色の３色を生じる対応する放電セルが組み込まれているので、プラズマディスプレーパネルが映像を現す場合、ピクセル毎に呈するカラーは、実際には、それぞれの放電セルで生じた赤色、緑色および青色３色の可視光を混合して形成されたカラーである。
【００１１】
プラズマディスプレーパネル上のピクセル毎の放電セルで生じた赤色、緑色、青色を、それぞれａ、ｂ、ｃをそのグレースケール値として表示し、ピクセル（pixel）毎に対応する３色の放電セル中の蛍光パウダーの単位グレースケール階調で生じた輝度をそれぞれＲCell、ＧCell、ＢCellで表示すると、暗室の環境で（即ち、環境光の影響がない状況で）、赤色、緑色および青色の放電セルで生じた輝度は下記の式（１）、（２）、（３）で表すことができるので、暗室の環境で観察されたピクセル毎の映像ImageDarkは、式（４）の通りに表される。
【００１２】
赤色の放電セルの輝度＝ａＲCell・・・・・・・・・・（１）
緑色の放電セルの輝度＝ｂＧCell・・・・・・・・・・（２）
青色の放電セルの輝度＝ｃＢCell・・・・・・・・・・（３）
ImageDark＝赤色の放電セルの輝度＋緑色の放電セルの輝度＋青色の放電セルの輝度＝ａＲCell＋ｂＧCell＋ｃＢCell・・・・・・・（４）
【００１３】
このプラズマディスプレーパネルが環境光に照射された場合、そのリアマザボード上の複数の平行に配列された隔離壁ならびに均等に塗布された蛍光体はしばしばその環境光を拡散するので、プラズマディスプレーパネルに可視光Ｗを生じさせるのである。
【００１４】
光の環境空間で、色飽和度が低下ならびに映像の品質が劣化する問題がしばしば生じる。本発明の一実施例はその可視光Ｗを取り除くため、Ｇｒａｓｓｍａｎ配色定律（ｌａｗｓ ｏｆ ｃｏｌｏｒ ｍａｔｃｈｉｎｇ）を利用して、数値計算により、下記の式（５）で赤色、緑色および青色の放電セルと対応して生じた可視光Ｗの数値を計算する。
【００１５】
Ｗ＝αＲCell＋βＧCell＋γＢCell・・・・・（５）
式（５）中のＲCell、ＧCell、ＢCellは、それぞれ赤色、緑色および青色の放電セルの単位グレースケールで生じた輝度を表示し、α、βおよびγは、それぞれ赤色、緑色および青色の放電セルのグレースケールを表す。
【００１６】
隔離壁および蛍光体で拡散された可視光Ｗによって、プラズマディスプレーパネルが高い輝度の環境空間で、色飽和度の低下ならびに映像品質が劣化する問題を生じ、本実施例のプラズマディスプレーパネルが映像を表示する場合、プラズマディスプレーパネルの制御電気回路を利用して、それぞれの放電セルの映像信号（電圧を入力することも可能）の入力強さを増加又は低下することで、可視光Ｗで生じた影響を赤色、緑色および青色の放電セルで生じたカラーライトから差し引くので、可視光Ｗによるプラズマディスプレーパネルヘの影響を徹底的に取り除き、画面に一番良い色飽和度ならびに一番良い品質の映像を呈することができるものである。
【００１７】
本実施例によると、プラズマディスプレーパネルが環境光のため生じた可視光Ｗに対し、カラー混合の原理を利用して、赤色、緑色および青色の可視光を適切な比で配合する。それで、高い輝度の環境で、そのプラズマディスプレーパネルより拡散した可視光Ｗは、式（５）で表されるが、その観察された映像ImageBrightは式（６）で表され、即ち、式（４）＋式（５）である。
【００１８】
ImageBright＝ImagrDark＋Ｗ＝ａＲCell＋ｂＧCell＋ｃＢCell＋αＲCell＋βＧCell＋γＢCell・・・（６）
式（６）中のαＲCell＋βＧCell＋γＢCellは、可視光Ｗのプラズマディスプレーパネルヘの影響を表し、前述の色飽和度が低下ならびに映像の品質が劣化する問題を形成する主な原因である。
【００１９】
図３に示すように本実施例により、高い輝度の環境で、プラズマディスプレーパネルヘ色飽和度の補正を行なう場合、予め環境光により生じた影響（即ち可視光Ｗ）を探知することで、映像を出力する前に制御電気回路を利用して、それぞれの放電セルの映像を入力する信号の強さを調整する。生じたカラーライトはちょうど下記の式（７）、（８）、（９）で表され、可視光Ｗより生じた影響を差し引くことができる。
【００２０】
補正後の赤色の放電セルの輝度＝ａＲCell−αＲCell・・・・・（７）
補正後の緑色の放電セルの輝度＝ｂＧCell−βＧCell・・・・・（８）
補正後の青色の放電セルの輝度＝ｃＢCell−γＢCell・・・・・（９）
各放電セルが上述の式によって数値計算を行なう場合、マイナス値が生じることを避けるため、選定されたカラーライトの臨界値（例えば、赤色の臨界値＝ThRed、緑色の臨界値＝ThGreen、および青色の臨界値＝ThBlue）によって、元の入力する映像のカラーライトのグレースケール（例えば、赤色グレースケール＝ａ、緑色グレースケール＝ｂ、青色グレースケール＝ｃ）がそれぞれのカラーライトの臨界値より大きい又は同じであることを判断した場合、映像を出力する前に、制御電気回路が前述の式（７）、（８）、（９）によって数値計算を行ない、それぞれの放電セルの映像を入力する信号の強さを調整する。
【００２１】
尚、本実施例を利用してプラズマディスプレーパネルより生じる映像へ補正を行なった後、ピクセル毎の輝度は下記の式（１０）のとおりである。
補正後のピクセル輝度＝補正後の赤色放電セルの輝度＋補正後の緑色放電セルの輝度＋補正後の青色放電セルの輝度＋Ｗ＝ａＲCell−αＲCell＋ｂＧCell−βＧCell＋ｃＢCell−γＢCell＋（αＲCell＋βＧCell＋γＢCell）
＝ａＲCell＋ｂＧCell＋ｃＢCell・・・・・・・・・・・・・・・・（１０）
【００２２】
上述のとおり、可視光Ｗの輝度は、赤色、緑色、青色の放電セルで生じたカラーライトＲCell、ＧCell、ＢCellで表すことも可能であり、Ｗ＝αＲCell＋βＧCell＋γＢCellであるので、式（１０）より、補正後のピクセルの輝度は、可視光Ｗよりプラズマディスプレーパネルの上に生じた不良影響を徹底的に取り除いたことがわかる。図４は、映像を入力するそれぞれのカラーライトの前の１２８のグレースケール数を例として、且つ、それぞれのカラーライトの臨界グレースケール値をTh＝２０に設定する場合の高い輝度の環境で、本実施例によりプラズマディスプレーパネルヘ色飽和度の補正を行なった結果である。図から分かるように、低いグレースケールの域で、確かに有効に式（７）〜（９）で生じたマイナス値の問題を避け、高い輝度の環境光のプラズマディスプレーパネルヘの影響を徹底的に取り除いていることをはっきり観察できるのである。
【００２３】
本実施例中、元の入力する映像のカラーライトのグレースケール（例えば赤色グレースケール＝ａ、緑色グレースケール＝ｂ、青色グレースケール＝ｃ）がそれぞれのカラーライトの臨界値より小さい場合、下記の式（１１）のとおりである。
【００２４】
補正後のピクセル輝度＝補正後の赤色放電セルの輝度＋補正後の緑色放電セルの輝度＋補正後の青色放電セルの輝度＋Ｗ＝ａαＲCell／ThRed＋ｂβＧCell／ThGreen＋ＣγＢCell／ThBlue＋（αＲCell＋βＧCell＋γＢCell）・・・・・・・・・・・・・・（１１）
【００２５】
入力する映像のカラーライトのグレースケールならびにその設定された臨界グレースケール間の比例関係によって、それぞれの放電セルの映像を入力した信号の強さを調整することで、生じたカラーライトにマイナス値の問題を生じさせない。環境光のプラズマディスプレーパネルヘの影響を徹底的に取り除くことをはっきり観察できるのである。
【００２６】
上述のとおり、可視光Ｗの輝度は、赤色、緑色、青色の放電セルで生じたカラーライトＲCell、ＧCellおよびＢCellで表示可能であり、Ｗ＝αＲCell＋βＧCell＋γＢCellであるので、式（１０）より、補正後のピクセルの輝度は、可視光Ｗよりプラズマディスプレーパネルの上に生じた不良影響を徹底的に取り除いたことが分かる。
【００２７】
図４は、映像を入力するカラーライトの前の１２８のグレースケール数を例として、臨界グレースケール値をTh＝２０に設定する場合の高い輝度の環境で、本実施例がプラズマディスプレーパネルヘ色飽和度の補正を行なった結果を示す図である。図から分かるように、低いグレースケールの域で、式（７）〜（９）より生じたマイナス値の問題を有効に避けて、環境光のプラズマディスプレーパネルヘの影響を徹底的に取り除くことができるのである。
【００２８】
本発明のもう一つの実施例は、図５に示すようにプラズマディスプレーパネルに対し、高い輝度の環境空間で自発式の色飽和度の補正を行なうものである。この実施例では、光感知器で環境光の数値を探知してから、環境光のプラズマディスプレーパネルヘの影響を計算する。上述の式によって、プラズマディスプレーパネルヘ色飽和度の補正を行なうのである。
【００２９】
本発明のさらにもう一つの実施例は、図６に示すようにプラズマディスプレーパネルに対し、高い輝度の環境空間で受動式の色飽和度の補正を行なうものである。この実施例では、予めプラズマディスプレーパネルの電気回路の構造中に、各種の違う環境の環境光を設定して置くことによって（例えば、強い光モード、一般の室内照明モード、展示会モード）、プラズマディスプレーパネルの置かれる環境に応じて自分で設定モードを選び、直接プラズマディスプレーパネルヘ色飽和度の補正を行なうのである。
【００３０】
上述により、本発明は直接ピクセルと対応する３色の放電セルの入力する映像信号の強さを増加又は低下することで、生じた赤色、緑色又は青色のカラーライトの輝度を調整し、環境光による色飽和度への不良影響を差し引くことができるので、プラズマディスプレーパネルの構造設計を変更し、又はそれに対する別の加工処理を行なうことが必要でないため、このプラズマディスプレーパネルの製造方法は単純である。
【図面の簡単な説明】
【図１】従来のプラズマディスプレーパネルの構造を示す模式図である。
【図２】従来のプラズマディスプレーパネルのフォワードマザーボード上にカプセルに入ったカラーフィルターが設けられている状態を示す模式図である。
【図３】本発明の一実施例によるプラズマディスプレーパネルの色飽和度および映像品質の補正方法の処理プロセスを示す図である。
【図４】グレースケール数１２８、カラーライトの臨界グレースケール値をＴｈ＝２０に設定したときの、本発明の一実施例によるプラズマディスプレーパネルの色飽和度の補正結果を示す図である。
【図５】本発明のもう一つの実施例によるプラズマディスプレーパネルの色飽和度および映像品質の補正方法の処理プロセスを示す図である。
【図６】本発明のさらにもう一つの実施例によるプラズマディスプレーパネルの色飽和度および映像品質の補正方法の処理プロセスを示す図である。
【符号の説明】
１１ フォワードマザボード
１２ リアマザボード
１１１ 透明電極
１１２ 補助電極
１１３ 誘電層
１１４ 保護層
【図１】
0004282250.tif 000002
【図２】
0004282250.tif 000003
【図３】
0004282250.tif 000004
【図４】
0004282250.tif 000005
【図５】
0004282250.tif 000006
【図６】
0004282250.tif 000007